(57)【要約】【課題】  複数の視方向に対する個別の表示画像に対応した音声を、適切な領域に適切に出力することを可能とする表示装置を提供することを目的とする。【解決手段】  本発明に係る表示装置は、複数の視方向に対する個別の表示画像を同一画面上に表示可能な表示部（７）と、複数の表示画像のそれぞれの視野領域に対応した音声がそれぞれ定位するように複数の音声出力部（１６）を制御する音声制御部（２００、２１０）を有することを特徴とする。【選択図】      図１０
2006197551.tif 000002
【特許請求の範囲】
【請求項１】
複数の視方向に対する個別の表示画像を同一画面上に表示可能な表示部と、
前記複数の表示画像のそれぞれの視野領域に対応した音声がそれぞれ定位するように、複数の音声出力部を制御する音声制御部と、
を有することを特徴とする表示装置。
【請求項２】
前記音声制御部は、各視方向に対する個別の表示画像が同時に視認可能な領域に対して、前記同時に視認可能な表示画像に対応した音声のうち、いずれかの音声が前記領域に定位するように制御する、請求項１に記載の表示装置。
【請求項３】
前記音声制御部は、各視方向に対する個別の表示画像が同時に視認可能な領域に対して、前記同時に視認可能な表示画像に対応した音声のうち、全ての音声が前記領域に定位するように制御する、請求項１に記載の表示装置。
【請求項４】
各視方向に対する個別の表示画像が同時に視認可能な領域に定位させる音声を選択する選択部をさらに有する、請求項２に記載の表示装置。
【請求項５】
前記複数の視方向に対する個別の表示画像の内の一つの表示画像の視野領域に対応した視野情報を取得する視野情報取得部をさらに有し、
前記音声制御部は、前記視野情報に対応して、前記視野領域において前記一つの表示画像に対応した音声が定位するように前記音声出力部を制御する、請求項１に記載の表示装置。
【請求項６】
前記音声出力部が出力する音声の重要度に対応した重要度情報を取得する重要度情報取得部をさらに有し、
前記音声制御部は、前記重要度情報に基づき、重要情報であると判断された音声を出力するように制御する、請求項１に記載の表示装置。
【請求項７】
前記音声制御部は、前記複数の視方向に対する個別の表示画像の内の一つの表示画像の対応した音声が終了した場合、他の表示画像に対応した音声を出力するように制御する、請求項１に記載の表示装置。
【請求項８】
前記複数の視方向に対する個別の表示画像のそれぞれに対応する音声の内の何れを出力するかを選択する選択手段をさらに有する、請求項１に記載の表示装置。
【請求項９】
前記音声出力部は、複数のスピーカを有し、
前記音声制御部は、前記複数の視方向に対する個別の表示画像の内の一つの表示画像の対応した音声の音声内容に応じて、前記複数のスピーカのどれから出力させるかを決定する、請求項１に記載の表示装置。
【請求項１０】
視聴位置に対応した音声を選択する選択部をさらに有し、
前記音声制御部は、前期視聴位置に前記選択部によって選択された音声を定位させるように、前記音声出力部を制御する、請求項１に記載の表示装置。
【請求項１１】
複数の音声検出部をさらに有し、
前記音声制御部は、前記複数の音声検出部からの音声検出信号に応じて、前記視聴位置において、選択された音声以外をノイズとしてキャンセルすることによって、前記視聴位置に前記選択部によって選択された音声を定位させるように、前記音声出力部を制御する、請求項１０に記載の表示装置。
【請求項１２】
前記複数の視方向に対する個別の表示画像を表示するために前記表示部に画像データを出力する画像ソース部をさらに有する、請求項１〜１１の何れか一項に記載の表示装置。
【請求項１３】
前記画像ソース部は、放送チャンネルのＴＶ映像を受信する受信部又は映像記録媒体を再生するための再生部を含む、請求項１２に記載の表示装置。
【請求項１４】
前記音声出力部は、スピーカと、ヘッドホン又はイヤホンを含み、
前記音声制御部は、前記複数の視方向に対する個別の表示画像の内の一つの表示画像の視野領域に対応した一つの音声を前記スピーカから出力させ、前記複数の視方向に対する個別の表示画像の内の他の表示画像の視野領域に対応した他の音声を前記ヘッドホン又はイヤホンから出力させる、請求項１〜１３の何れか一項に記載の表示装置。
【請求項１５】
前記音声出力部は、骨伝導スピーカ又は指向性スピーカを含む、請求項１〜１３の何れか一項に記載の表示装置。
【請求項１６】
複数の視方向に対する個別の表示画像を同一画面上に表示可能な表示部と、
画像ソースを処理した表示データを供給する表示制御部と、
前記複数の表示画像のそれぞれの視野領域に対応した音声がそれぞれ定位するように、複数の音声出力部を制御する音声制御部と、
を有することを特徴とする出力制御装置。
【発明の詳細な説明】
【技術分野】
【０００１】
本発明は、単一の画面で複数の利用者各々に対して独立した異なる情報を実質的に同時に提供することのできるマルチビュー表示装置及び出力制御装置に関するものである。
【背景技術】
【０００２】
特許文献１〜特許文献３は、１台の液晶ディスプレイ（ＬＣＤ）で２画面を同時に表示することができ、例えば、運転席と助手席とからそれぞれ異なる画面を見ることができる表示装置を開示している。また特許文献４及び特許文献５は、２種類の映像を、同時に、同一画面に表示することができる２画面表示装置を開示している。さらに、特許文献６及び７は、立体イメージを表示するために、視野方向を制限するためにバリアについて開示している。
【０００３】
また、マルチビュー表示装置において、運転席用の第１の映像に対応した第１の音声を運転席のみに視聴させ、助手席用の第２の映像に対応した第２の音声を助手席のみに視聴させるシステムが知られている（例えば、特許文献８）。
【０００４】
さらに、所謂、骨伝導型スピーカが内蔵されたシートが知られている（例えば、特許文献９）。
【０００５】
さらに、スピーカの指向性を変更させようとすることも知られている（例えば、特許文献１０）。
【０００６】
【特許文献１】特開平６−１８６５２６号公報
【特許文献２】特開２０００−１３７４４３号公報
【特許文献３】特開２００３−１３７００５号公報
【特許文献４】特開平１１−３３１８７６号公報
【特許文献５】特開平９−４６６２２号公報
【特許文献６】特開平１０−１２３４６１号公報
【特許文献７】特開平１１−８４１３１号公報
【特許文献８】特開平６−２３６１５２号公報（第４頁、図３）
【特許文献９】特開２００４−８３００４号公報（第３図）
【特許文献１０】特開平１１−７５２８４号公報（第７頁、第６図）
【発明の開示】
【発明が解決しようとする課題】
【０００７】
車両にマルチビュー表示装置が搭載された場合、観察者は映像と音声とを合わせて視聴すべきであるが、車両内には、映像・音声にクロストーク領域（例えば、表示部に向かって真正面部分の領域）が存在し、その部分に座った観察者（乗員）は好みの映像及び音声のみを視聴しにくいという不具合があった。
【０００８】
さらに、マルチビュー表示装置において、それぞれ複数の映像及び音声が出力されている場合、車内には２種類の映像と音声が混在することとなるが、例えば緊急事態が発生した場合等において、映像や音声が混在することによって正確に情報を車内に伝えることができないという不具合があった。
【０００９】
そこで、本発明は、上記の不具合を解消することを可能とする表示装置及び出力制御装置を提供することを目的とする。
【００１０】
また、本発明は、複数の視方向に対する個別の表示画像に対応した音声を、適切な領域に適切に出力することを可能とする表示装置及び出力制御装置を提供することを目的とする。
【００１１】
さらに、本発明は、クロストーク領域においても、ユーザに良好な表示画像及び／又は音声を出力することを可能とする表示装置及び出力制御装置を提供することを目的とする。
【００１２】
さらに、本発明は、車内に混在する複数の種類の表示画像と音声とを適切に利用することを可能とする表示装置及び出力制御装置を提供することを目的とする。
【課題を解決するための手段】
【００１３】
上記課題を解決するために、本発明に係る表示装置は、複数の視方向に対する個別の表示画像を同一画面上に表示可能な表示部と、複数の表示画像のそれぞれの視野領域に対応した音声がそれぞれ定位するように、複数の音声出力部を制御する音声制御部を有することを特徴とする。
【００１４】
さらに、本発明に係る表示装置では、音声制御部は、各視方向に対する個別の表示画像が同時に視認可能な領域に対して、同時に視認可能な表示画像に対応した音声のうち、いずれかの音声が領域に定位するように制御することが好ましい。例えば、本発明に係る出力制御装置を車両に搭載した場合には、クロストーク領域近傍には、何れか一方の音声のみを定位させるように制御させたものである。
【００１５】
さらに、本発明に係る表示装置では、音声制御部は、各視方向に対する個別の表示画像が同時に視認可能な領域に対して、同時に視認可能な表示画像に対応した音声のうち、全ての音声が領域に定位するように制御することが好ましい。例えば、本発明に係る出力制御装置を車両に搭載した場合には、クロストーク領域近傍には、両方の音声を定位させるように制御させたものである。
【００１６】
さらに、本発明に係る表示装置では、各視方向に対する個別の表示画像が同時に視認可能な領域に定位させる音声を選択する選択部をさらに有することが好ましい。例えば、本発明に係る出力制御装置を車両に搭載した場合には、クロストーク領域に何れかの音声を定位させるかをユーザの好みによって決定できるように構成した。
【００１７】
さらに、本発明に係る表示装置では、複数の視方向に対する個別の表示画像の内の一つの表示画像の視野領域に対応した視野情報を取得する視野情報取得部をさらに有し、音声制御部は、視野情報に対応して、視野領域において一つの表示画像に対応した音声が定位するように音声出力部を制御することが好ましい。例えば、表示部の視野角の調整に応じて、視野角に応じた視野領域に表示画像に対応する音声を提供しようとするものである。
【００１８】
さらに、本発明に係る表示装置では、音声出力部が出力する音声の重要度に対応した重要度情報を取得する重要度情報取得部をさらに有し、音声制御部は、重要度情報に基づき、重要情報であると判断された音声を出力するように制御することが好ましい。音声内容の重要度に応じて、重要と判断された内容の音声を出力するように構成した。
【００１９】
さらに、本発明に係る表示装置では、音声制御部は、複数の視方向に対する個別の表示画像の内の一つの表示画像の対応した音声が終了した場合、他の表示画像に対応した音声を出力するように制御することが好ましい。例えば、一方の映像及び音声がＤＶＤソフトの再生に関わるものであり、他方がリピートを繰り返すＣＤ音楽ソフトの再生に関わるものである場合、ＤＶＤの再生が終了した場合には、音声が途切れるのを防止するために、ＣＤ音楽ソフトの再生音声を利用するように構成した。
【００２０】
さらに、本発明に係る表示装置では、複数の視方向に対する個別の表示画像のそれぞれに対応する音声の内の何れを出力するかを選択する選択手段をさらに有することが好ましい。例えば、ユーザが必要に応じて、他方に音声割り込みできるように構成した。
【００２１】
さらに、本発明に係る表示装置では、音声出力部は、複数のスピーカを有し、音声制御部は、複数の視方向に対する個別の表示画像の内の一つの表示画像の対応した音声の音声内容に応じて、複数のスピーカのどれから出力させるかを決定することが好ましい。例えば、音声内容に応じて、他方に音声割り込みできるように構成した。
【００２２】
さらに、本発明に係る表示装置では、視聴位置に対応した音声を選択する選択部をさらに有し、音声制御部は、前期視聴位置に選択部によって選択された音声を定位させるように、音声出力部を制御することが好ましい。例えば、視聴位置（車両の座席）毎に、何れの音声を視聴したいかを選択できるように構成した。
【００２３】
さらに、本発明に係る表示装置では、複数の音声検出部をさらに有し、音声制御部は、複数の音声検出部からの音声検出信号に応じて、視聴位置において、選択された音声以外をノイズとしてキャンセルすることによって、視聴位置に選択部によって選択された音声を定位させるように、音声出力部を制御することが好ましい。定位させたい視聴位置の近傍に配置された音声検出部からの音声検出信号を利用して、視聴したくない音声をノイズとしてキャンセルし、視聴したい音声のみをクリアに視聴できるように構成した。
【００２４】
さらに、本発明に係る表示装置では、複数の視方向に対する個別の表示画像を表示するために表示部に画像データを出力する画像ソース部をさらに有することが好ましく、画像ソース部は、放送チャンネルのＴＶ映像を受信する受信部又は映像記録媒体を再生するための再生部を含むことが好ましい。例えば、同じ表示部を用いて、あるチャンネルのＴＶ映像と他のチャンネルのＴＶ映像とを同時に別々の観察者が視聴できるように、あるＤＶＤからの再生映像と他のＤＶＤからの再生映像とを同時に別々の観察者が視聴できるように、又はあるＤＶＤからの第１再生映像（マルチアングル映像１）と同じＤＶＤからの第２再生映像（マルチアングル映像２）とを同時に別々の観察者が視聴できるように構成した。
【００２５】
さらに、本発明に係る表示装置では、音声出力部は、スピーカと、ヘッドホン又はイヤホンを含み、音声制御部は、複数の視方向に対する個別の表示画像の内の一つの表示画像の視野領域に対応した一つの音声をスピーカから出力させ、複数の視方向に対する個別の表示画像の内の他の表示画像の視野領域に対応した他の音声をヘッドホン又はイヤホンから出力させることが好ましい。例えば、運転席用にはスピーカから、助手席用にはヘッドホン又はイヤホンを用いて音声を提供できるように構成した。
【００２６】
さらに、本発明に係る表示装置では、音声出力部は、骨伝導スピーカ又は指向性スピーカを含むことが好ましい。骨伝導スピーカ又は指向性スピーカを用いて、例えばクロストーク領域等にもクリアな音声を提供できるように構成した。
【００２７】
上記課題を解決するために、本発明に係る出力制御装置では、複数の視方向に対する個別の表示画像を同一画面上に表示可能な表示部と、画像ソースを処理した表示データを供給する表示制御部と、複数の表示画像のそれぞれの視野領域に対応した音声がそれぞれ定位するように複数の音声出力部を制御する音声制御部を有することを特徴とする。
【００２８】
上記課題を解決するために、本発明に係る出力表示装置は、第１の視方向から観察できる表示と第２の視方向から観察できる表示が可能な表示部に第１ソースから出力される第１映像あるいは第２ソースから出力される第２映像を表示させる映像制御部と、複数の音声出力部から第１ソースから出力される第１音声あるいは第２ソースから出力される第２音声を出力させるように制御を行う音声制御部を有することを特徴とする。
【００２９】
さらに、本発明に係る出力制御装置では、音声制御部は、第１映像と第２映像のクロストーク領域近傍に、第１音声及び第２音声のうち、何れか一方のみを定位させるように複数の音声出力手段を制御することが好ましい。例えば、本発明に係る出力制御装置を車両に搭載した場合には、クロストーク領域近傍には、何れか一方の音声のみを定位させるように制御させたものである。
【００３０】
さらに、本発明に係る出力制御装置では、音声制御部は、第１映像と第２映像のクロストーク領域近傍に、第１音声及び第２音声を定位させるように複数の音声出力手段を制御することが好ましい。例えば、本発明に係る出力制御装置を車両に搭載した場合には、クロストーク領域近傍には、両方の音声を定位させるように制御させたものである。
【００３１】
さらに、本発明に係る出力制御装置では、第１音声及び第２音声のどちらを、第１映像と第２映像のクロストーク領域近傍に定位させる音声とするかを選択する選択手段をさらに有することが好ましい。例えば、本発明に係る出力制御装置を車両に搭載した場合には、クロストーク領域に何れかの音声を定位させるかをユーザの好みによって決定できるように構成した。
【００３２】
さらに、本発明に係る出力制御装置では、第１映像が観測できる第１視野位置に対応した第１視野情報を取得する視野情報取得部をさらに有し、音声制御部は、第１視野情報に対応して、第１視野位置において第１映像に対応した第１音声が定位するように複数の音声出力部を制御することが好ましい。表示部の視野角の調整に応じて、視野角に応じた視野領域に映像に対応する音声を提供しようとするものである。
【００３３】
さらに、本発明に係る出力制御装置では、第１音声及び第２音声の重要度に対応した重要度情報を取得する重要度情報取得部をさらに有し、音声制御部は、重要度情報に基づき第１音声又は第２音声が重要情報であると判断した場合には、複数の音声出力部の全てから重要情報であると判断された第１又は第２音声を出力するように制御することが好ましい。音声内容の重要度に応じて、重要と判断された内容の音声を出力するように構成した。
【００３４】
さらに、本発明に係る出力制御装置では、音声制御部は、第１又は第２音声の一方が終了した場合、複数の音声出力部の全てから、第１又は第２音声の他方を出力するように制御することが好ましい。例えば、一方の映像及び音声がＤＶＤソフトの再生に関わるものであり、他方がリピートを繰り返すＣＤ音楽ソフトの再生に関わるものである場合、ＤＶＤの再生が終了した場合には、音声が途切れるのを防止するために、ＣＤ音楽ソフトの再生音声を利用するように構成した。
【００３５】
さらに、本発明に係る出力制御装置では、第１音声又は第２音声を複数の音声出力部のどれから出力させるかを選択する選択手段をさらに有することが好ましい。ユーザが必要に応じて、他方に音声割り込みできるように構成した。
【００３６】
さらに、本発明に係る出力制御装置では、音声制御部は、第１音声及び第２音声の音声内容に応じて、第１音声又は第２音声を複数の音声出力部のどれから出力させるかを決定することが好ましい。音声内容に応じて、他方に音声割り込みできるように構成した。
【００３７】
さらに、本発明に係る出力制御装置では、視聴位置毎に、視聴位置に対応した音声を選択する選択部を有し、音声制御部は、選択部による選択に応じて、視聴位置毎に第１音声及び第２音声の何れかを定位させるように、複数の音声出力部を制御することが好ましい。視聴位置（例えば、車両の座席）毎に、何れの音声を視聴したいかを選択できるように構成した。
【００３８】
さらに、本発明に係る出力制御装置では、視聴位置毎に設けられた複数の音声検出部とをさらに有し、音声制御部は、複数の音声検出部からの音声検出信号に応じて、視聴位置毎に選択された音声以外をノイズとしてキャンセルすることによって、視聴位置毎に第１音声及び第２音声の何れかを定位させるように、複数の音声出力部を制御することが好ましい。定位させたい視聴位置の近傍に配置された音声検出部からの音声検出信号を利用して、視聴したくない音声をノイズとしてキャンセルし、視聴したい音声のみをクリアに視聴できるように構成した。
【００３９】
さらに、本発明に係る出力制御装置では、第１ソース及び第２ソースは、複数の放送チャンネルのＴＶ映像を受信するための受信部であり、第１映像は受信部が受信した第１のチャンネルのＴＶ映像であり、第２映像は受信部が受信した第１のチャンネルとは異なった第２のチャンネルのＴＶ映像であることが好ましい。同じ表示部を用いて、あるチャンネルのＴＶ映像と他のチャンネルのＴＶ映像と、を同時に別々の観察者が視聴できるように構成した。
【００４０】
さらに、本発明に係る出力制御装置では、第１ソースは、第１映像記録媒体から第１映像データを出力する第１映像出力部であり、第２ソースは、第２映像記録媒体から第２映像データを出力する第２映像出力部であることが好ましい。同じ表示部を用いて、あるＤＶＤからの再生映像と、他のＤＶＤからの再生映像とを同時に別々の観察者が視聴できるように構成した。
【００４１】
さらに、本発明に係る出力制御装置では、第１ソース及び第２ソースは、映像記録媒体から複数の映像データを出力する映像出力部であり、第１映像は、映像出力部からの第１映像データであり、第２映像は、映像出力部からの第１映像データとは異なった第２映像データであることが好ましい。同じ表示部を用いて、あるＤＶＤからの第１再生映像（マルチアングル映像１）と、同じＤＶＤからの第２再生映像（マルチアングル映像２）とを同時に別々の観察者が視聴できるように構成した。
【００４２】
さらに、本発明に係る出力制御装置では、複数の音声出力部は、スピーカと、ヘッドホン又はイヤホンを含み、音声制御部は運転席向けの音声をスピーカから出力させ、助手席又は第１映像と第２映像のクロストーク領域向けの音声をヘッドホン又はイヤホンから出力させることが好ましい。運転席用にはスピーカから、助手席用にはヘッドホン又はイヤホンを用いて音声を提供できるように構成した。
【００４３】
さらに、本発明に係る出力制御装置では、複数の音声出力部は、運転席側に設けられたスピーカと助手席側に設けられたスピーカを含み、第１音声は運転席側に設けられたスピーカから出力され、第２音声は助手席側に設けられたスピーカから出力されることが好ましい。
【００４４】
さらに、本発明に係る出力制御装置では、複数の音声出力部は、骨伝導スピーカ又は指向性スピーカを含むことが好ましい。骨伝導スピーカ又は指向性スピーカを用いて、例えばクロストーク領域等にもクリアな音声を提供できるように構成した。
【００４５】
上記課題を解決するために、本発明に係る出力表示装置は、第１の視方向から観察できる表示と第２の視方向から観察できる表示が可能な表示部に第１ソースから出力される第１映像あるいは第２ソースから出力される第２映像を表示させる映像制御部と、複数の音声出力部から第１ソースから出力される第１音声あるいは第２ソースから出力される第２音声を出力させるように制御を行う音声制御部とを有し、第１ソース及び第２ソースは複数の放送チャンネルのＴＶ映像を受信するための受信部であり、第１映像は受信部が受信した第１のチャンネルのＴＶ映像であり、第２映像は受信部が受信した第１のチャンネルとは異なった第２のチャンネルのＴＶ映像である、ことを特徴とする。
【００４６】
上記課題を解決するために、本発明に係る出力表示装置は、第１の視方向から観察できる表示と第２の視方向から観察できる表示が可能な表示部に第１ソースから出力される第１映像あるいは第２ソースから出力される第２映像を表示させる映像制御部と、複数の音声出力部から第１ソースから出力される第１音声あるいは第２ソースから出力される第２音声を出力させるように制御を行う音声制御部とを有し、第１ソースは第１映像記録媒体から第１映像データを出力する第１映像出力部であり、第２ソースは第２映像記録媒体から第２映像データを出力する第２映像出力部である、ことが好ましい。
【００４７】
上記課題を解決するために、本発明に係る出力表示装置は、第１の視方向から観察できる表示と第２の視方向から観察できる表示が可能な表示部に第１ソースから出力される第１映像あるいは第２ソースから出力される第２映像を表示させる映像制御部と、複数の音声出力部から第１ソースから出力される第１音声あるいは第２ソースから出力される第２音声を出力させるように制御を行う音声制御部とを有し、第１ソース及び第２ソースは映像記録媒体から複数の映像データを出力する映像出力部であり、第１映像は映像出力部からの第１映像データであり、第２映像は映像出力部からの第１映像データとは異なった第２映像データである、ことを特徴とする。
【００４８】
上記課題を解決するために、本発明に係るオーディオビジュアル装置では、第１の視方向から観察できる表示と第２の視方向から観察できる表示が可能な表示部と、第１映像又は第１音声を出力する第１ソースと、第２映像又は第２音声を出力する第２ソースと、表示部に第１ソースから出力される第１映像あるいは第２ソースから出力される第２映像を表示させる映像制御部と、複数の音声出力部と、複数の音声出力部から第１ソースから出力される第１音声あるいは第２ソースから出力される第２音声を出力させる音声制御部と、を有することを特徴とする。
【発明の効果】
【００４９】
本発明に係るマルチビュー表示装置によれば、クロストーク領域において、所望の音声又は表示画像を提供することが可能となった。
【００５０】
また、本発明に係るマルチビュー表示装置によれば、表示装置から複数の音声及び／又は表示画像が提供される場合、必要に応じて、適切な音声に切換えることが可能となった。
【発明を実施するための最良の形態】
【００５１】
以下、本発明の実施の形態を図面にしたがって説明する。但し、本発明の技術的範囲はそれらの実施の形態に限定されず、特許請求の範囲に記載された発明とその均等物に及ぶ物である。
【００５２】
図１は、本発明に係わる表示装置の概念図である。図中、１は第１の画像ソース、２は第２の画像ソース、３は第１の画像ソースからの第１の画像データ、４は第２の画像ソースからの第２の画像データ、５は表示制御部、６は表示データ、７は表示部（例えば液晶パネル等）、８は第１の画像ソース１に基づく第１の表示画像、９は第２の画像ソース２に基づく第２の表示画像、１０は表示部７に対して左側に位置する観察者（利用者）、１１は表示部７に対して右側に位置する観察者（利用者）である。
【００５３】
図1の概念図は、表示部７に対する観察者１０、１１の相対的位置に応じて、換言すれば表示部７に対する視野角に応じて、観察者１０は第１の表示画像８を、観察者１１は第２の表示画像９を実質的に同時に見ることができ、しかも各々の表示画像８、９は表示部７の表示面全体に渡ってみることができることを概念的に示している。図１において、第１の画像ソース１は例えばＤＶＤプレーヤの映画画像やテレビ受信機の受信画像等、第２の画像ソース２は例えばカーナビゲーション装置の地図やルート案内画像等であり、それぞれの第１の画像データ３及び第２の画像データ４は表示制御部５に供給され、それらを表示部７で実質的に同時に表示できるように処理される。
【００５４】
表示制御部５から表示データ６を供給される表示部７は、後述する視差バリアを備えた液晶パネル等で構成される。表示部７の横方向の総画素の半数が第１の画像ソース１に基づく第１の表示画像８の表示に、残りの半数の画素が第２の画像ソース２に基づく第２の表示画像９の表示に使用される。表示部７に対して左側に位置する観察者１０には、第１の表示画像８に対応する画素のみが見え、第２の表示画像９は表示部７の表面に形成されている視差バリアによって遮られて実質的に見えない。一方、表示部７に対して右側に位置する観察者１１には、第２の表示画像９に対応する画素のみが見え、第１の表示画像８は視差バリアにより遮られて実質的に見えない。
【００５５】
係る構成により、単一の画面で左右の利用者に異なる情報やコンテンツを提供することができる。もちろん、第１、第２の画像ソースが同じであれば、従来通り左右の利用者が同じ画像を見ることもできる。
【００５６】
図２は、本発明に係るマルチビュー表示装置の車両への搭載例を示す斜視図である。図中、１２は助手席、１３は運転席、１４はウインドシールド、１５は操作部、１６はスピーカである。
【００５７】
図１のマルチビュー表示装置の表示部７は、例えば図２に示すように、運転席１３と助手席１２とのほぼ中央のダッシュボード部分に配置される。マルチビュー表示装置に対する各種操作は、表示部７の表面に一体的に形成したタッチパネル（図示せず）や操作部１５又は、赤外線又は無線リモートコントローラ（図示せず）の操作によって行われる。車両の各ドアにはスピーカ１６が配置され、表示画像に連動した音声や警告音等が出力される。
【００５８】
運転席１３に図１の観察者１１が、助手席１２には観察者１０が座る。表示部７に対する第１視方向（運転席側）から見ることができる画像は例えばカーナビゲーション装置の地図等の画像であり、実質的に同時に第２視方向（助手席側）から見ることができる画像は例えばテレビ受信画像やＤＶＤムービー画像である。従って、運転席１３の運転者がカーナビゲーションによる運転支援を受けるのと同時に助手席１２の同乗者はテレビやＤＶＤを楽しむことができる。しかもそれぞれの画像は例えば７インチの画面全体を使用して表示されるため、従来のマルチウインドウ表示のように画面サイズが小さくなることもない。つまり、運転者、同乗者にとっては、あたかも各々に独立した専用のディスプレイがあるかの如く、それぞれに最適な情報やコンテンツが提供されるのである。
【００５９】
図３は、表示部７の断面構造の概略図である。図中、１００は液晶パネル、１０１はバックライト、１０２は液晶パネルのバックライト側に設置された偏光板、１０３は液晶パネルの発光方向側の前面に配置された偏光板、１０４はＴＦＴ(Thin Film Transistor)基板、１０５は液晶層、１０６はカラーフィルタ基板、１０７はガラス基板、１０８は視差バリアである。液晶パネル１００は、ＴＦＴ基板１０４とそれに対向して配置されるカラーフィルタ基板１０６の間に液晶層１０５を挟持した一対の基板と、その発光方向側の前面に配置された視差バリア１０８とガラス基板１０７とを、２枚の偏光板１０２及び１０３の間に挟んだ構成となっており、バックライト１０１からやや離隔して配設される。また、液晶パネル１００は、ＲＧＢ色（三原色）で構成される画素を有する。
【００６０】
液晶パネル１００の各画素は、左側（助手席側）表示用と、右側（運転席側）表示用に分けられて表示制御される。そして、左側（助手席側）表示用画素は、視差バリア１０８により右側（運転席側）への表示は遮断され、左側（助手席側）からは見えるようになっている。また、右側（運転席側）表示用画素は、視差バリア１０８により左側（助手席側）への表示が遮断され、右側（運転席側）からは見えるようになっている。これによって、例えば運転者１１と同乗者１０に異なった表示を提供することが可能となる。つまり、運転者１１にはナビゲーションの地図情報９を与え、同時に同乗者１０にはＤＶＤの映画等８を見せることが可能となる。なお、視差バリア１０８、前記液晶パネルの各画素の構成を変更すれば、３方向等、複数方向に異なった画像を表示する構成も可能である。また、視差バリア自体を電気的に駆動可能な液晶シャッタ等で構成して視野角を可変するようにしてもよい。
【００６１】
図４は、表示パネルを正面から見た構造の概略図であり、図３は図４中のＡ−Ａ′断面である。図中、１０９は左側（助手席側）表示用の画素、１１０は右側（運転席側）表示用の画素である。図３及び図４は、例えば横方向に８００画素、縦方向に４８０画素並べられた液晶パネル１００の一部を表す。左側（助手席側）表示用の画素１０９と右側（運転席側）表示用の画素１１０は縦方向にグループ化され、交互に並んでいる。視差バリア１０８は、横方向にある間隔で配置され、縦方向には一様である。これによって、左側から表示パネルを見ると、視差バリア１０８が右側用画素１１０を覆い隠して、左側用画素１０９が見える。また同様に右側から見ると、視差バリア１０８が左側用画素１０９を覆い隠して、右側用画素１１０が見える。さらに正面付近では、左側用画素１０９と右側用画素１１０の両方が見えるため、左側表示画像と右側表示画像とが実質的に重なって見える。ここで、図４中の交互に並んだ左側用画素１０９及び右側用画素１１０は、図３のようにＲＧＢ色を有しているが、各グループ縦方向内は、Ｒ列、Ｇ列、Ｂ列のように単色で構成されていてもよいし、ＲＧＢが複数混じった列として構成されていてもよい。
【００６２】
図５はＴＦＴ基板１０４の概略を示す回路図である。１１１は表示パネル駆動部、１１２は走査線駆動回路、１１３はデータ線駆動回路、１１４はＴＦＴ素子、１１５〜１１８はデータ線、１１９〜１２１は走査線、１２２は画素電極、１２３はサブピクセルである。図５に示すように、サブピクセル１２３は各データ線１１５〜１１８及び各走査線１１９〜１２１によって囲まれた領域を一単位とし、複数形成される。各サブピクセルには、液晶層１０５に電圧を印加する画素電極１２２とそれをスイッチング制御するＴＦＴ素子１１４が形成されている。表示パネル駆動部１１１は走査線駆動回路１１２及びデータ線駆動回路１１３の駆動タイミングを制御する。走査線駆動回路１１２はＴＦＴ素子１１４の選択走査を行い、またデータ線駆動回路１１３は画素電極１２２への印加電圧を制御する。
【００６３】
前記複数のサブピクセルは、第１の画像データと第２の画像データの合成データもしくは、第１と第２の個々の画像データに基づいて、例えばデータ線１１５と１１７に第１の画素データ（左側画像表示用）を、またデータ線１１６と１１８に第２の画素データ（右側画像表示用）を送信することよって、第１の画像を表示する第１の画像データ群と第２の画像を表示する第２の画像データ群が形成される。
【００６４】
図６は、本発明に係わる表示装置の概略を示すブロック図であり、いわゆるオーディオ・ビジュアル・ナビゲーション（Audio Visual Navigation）複合機への適用例である。図中、１２４はタッチパネル、２００は制御部、２０１はＣＤ／MD再生部、２０２はラジオ受信部、２０３はＴＶ受信部、２０４はＤＶＤ再生、２０５はＨＤ（Hard Disk）再生部、２０６はナビゲーション部、２０７は分配回路、２０８は第１の画像調整回路、２０９は第２の画像調整回路、２１０は音声調整回路、２１１は画像出力部、２１２はＶＩＣＳ情報受信部、２１３はＧＰＳ情報受信部、２１４はセレクタ、２１５は操作部、２１６はリモコン送受信部、２１７はリモコン、２１８はメモリ、２１９は外部音声／映像入力部、２２０はカメラ、２２１は明るさ検知手段、２２２は乗員検知手段、２２３はリア表示部、２２４はＥＴＣ車載器、２２５は通信ユニットである。
【００６５】
表示部７は、タッチパネル１２４、液晶パネル１００及びバックライト１０１から構成される。表示部７の液晶パネル１００は、これまでに述べてきたように、第１視方向として運転席側から見られる画像と、第２視方向として助手席側から見られる画像とを、実質的に同時に表示することが可能となっている。尚、表示部７には、液晶パネル以外のフラットパネルディスレイ、例えば有機ＥＬディスプレイパネル、プラズマディスプレイパネル、冷陰極フラットパネルディスプレイ等を用いることもできる。
【００６６】
制御部２００は、各種ソース（ＣＤ／ＭＤ再生部２０１、ラジオ受信部２０２、ＴＶ受信部２０３、ＤＶＤ再生部２０４、ＨＤ再生部２０５及びナビゲーション部２０６）からの画像や音声は、制御部２００からの指示に基づき左用に指定された画像ソースを２０８に、右用に指定されたソースを２０９に分配させる分配回路２０７を介して、画像であれば第１の画像調整回路２０８及び第２の画像調整回路２０９に、音声であれば音声調整回路２１０にそれぞれ分配される。そして、第１及び第２の画像調整回路２０８、２０９では、輝度や色調、コントラストなどが調整され、調整された各画像を画像出力部２１１にて、表示部７に表示させる。また音声調整回路２１０では各スピーカへの分配や音量、音声が調整され、調整された音声が、スピーカ１６から出力される。
【００６７】
図７は画像出力部２１１の概略を示すブロック図である。図中、２２６は第１の書込回路、２２７は第２の書込回路、２２８はＶＲＡＭ（Video RAM）である。
【００６８】
画像出力部２１１は、例えば図７に示すように、第１の書込回路２２６と第２の書込回路２２７とＶＲＡＭ（Video RAM）２２８と表示パネル駆動部１１１とを備えている。例えば、第１の書込回路２２６は、調整された画像データのうち２０８から出力される画像の奇数列に対応する画像データ（即ち、図１の第１の表示画像８用の画像データ）を、第２の書込回路２２７は２０９から出力される偶数列に対応する画像データ（即ち、図１の第２の表示画像９用の画像データ）をもとにし、それぞれＶＲＡＭ２２８における該当する領域に書き込む。また表示パネル駆動部１１１は液晶パネル１００を駆動する回路であり、ＶＲＡＭ２２８に保持されている画像データ（第１の画像データと第２の画像データの合成データ）に基づいて、液晶表示パネル１００の対応する画素を駆動する。尚、ＶＲＡＭ２２８には第１の画像データと第２の画像データの合成されたマルチビュー表示用の画像に対応するように画像データの書き込みが行われているので、駆動回路は１つでよく、その動作も通常の液晶表示装置の駆動回路の動作と同じである。また別の構成として、第１の画像データと第２の画像データを合成せずに、それぞれの画像データに基づいて、液晶表示パネルの対応する画素を駆動する第１の表示パネル駆動回路及び第２の表示パネル駆動回路を用いることも考えられる。
【００６９】
ここで、図６で示した各種ソースの一例について説明をすると、ＨＤ再生部２０５を選択した場合、ハードディスク（ＨＤ）に記憶されたＭＰ３ファイル等の音楽データやＪＰＥＧファイル等の画像データ、ナビゲーション用の地図データ等が読み出され、音楽データを選択するためのメニュー表示や画像データを表示部７に表示させることができる。
【００７０】
ナビゲーション部２０６は、ナビゲーションの為に利用される地図情報を記憶した地図情報記憶部を備え、ＶＩＣＳ情報受信部２１２、ＧＰＳ情報受信部２１３から情報を入手し、ナビゲーション動作の為の画像を作成し、表示させることができる。またＴＶ受信部２０３は、アンテナからセレクタ２１４を介して、アナログＴＶ放送波及びデジタルＴＶ放送波を受信する。
【００７１】
図８は制御部２００の概略を示すブロック図である。図中、２２９はインターフェース、２３０はＣＰＵ、２３１は記憶部、２３２はデータ記憶部である。
【００７２】
制御部２００は分配回路２０７並びに各種ソースを制御し、選択された２つのソースもしくは１つのソースについて表示を行わせる。また制御部２００は、これら各種ソースをコントロールするための操作メニュー表示を表示部７に表示させることも行っている。ここで、図８で示すように、制御部２００はマイクロプロセッサなどで構成され、インターフェース２２９を介して、表示装置内の各部や各回路を統括的に制御しているＣＰＵ２３０を備えている。このＣＰＵ２３０には、表示装置の動作に必要な各種のプログラムを保持するＲＯＭからなるプログラム記憶部２３１と、各種のデータを保持するＲＡＭからなるデータ記憶部２３２とが設けられている。なお、ＲＯＭやＲＡＭ等は、ＣＰＵに内蔵されたものでも、外部に設けたものでも使用することが可能である。又、ＲＯＭはフラッシュメモリの様に電気的に書き換え可能な不揮発性メモリでもよい。
【００７３】
ユーザは、上記各種ソースのコントロールを、表示部７の表面に取り付けられているタッチパネル１２４や表示部７の周囲に設けられたスイッチ、もしくは音声認識等の入力操作や選択操作を操作部２１５によって行うことができる。またリモコン送受信部２１６を介して、リモコン２１７により入力もしくは選択操作をしてもよい。制御部２００は、このタッチパネル１２４や操作部２１５の操作に従って、各種ソースを含めた制御を行っている。また、制御部２００は、図２のように車両内に複数備え付けられたスピーカ１６の各音量等を、音声調整回路２１０を用いて制御することができるように構成されている。また制御部２００は、メモリ２１８に画質設定情報やプログラム、車両情報等の各種設定情報を記憶させることも行っている。
【００７４】
図９はメモリ２１８の概略を示すブロック図である。図中、２３３は第１の画面ＲＡＭ、２３４は第２の画面ＲＡＭ２３４、２３５は画質設定情報記憶手段、２３６は対環境調整値保持手段である。
【００７５】
メモリ２１８は、例えば図９に示すように、使用者が設定した第１の画像および第２の画像の画質の調整値がそれぞれ書き込み可能な第１の画面ＲＡＭ２３３および第２の画面ＲＡＭ２３４を有する。また、第１の画像及び第２の画像の画質を調整する場合に、読み出すことができるプリセット値として各画質調整用に予め複数段階の画質調整値が記憶されている画質設定情報記憶手段２３５も有する。さらに車外の明るさ変化等の周囲環境変化に応じた画質を調整するために、周囲環境に対する第１の映像及び第２の映像の画質の調整値を保持する対環境調整値保持手段２３６を有している。ここで画質設定情報記憶手段２３５及び対環境調整値保持手段２３６は、フラッシュメモリなどの電気的書き換え可能不揮発性メモリ又はバッテリバックアップされた揮発性メモリにより構成される。
【００７６】
外部音声／画像入力部２１９に接続された、例えば後方監視用のカメラ２２０からの画像を表示部７に表示するようにしてもよい。なお、後方監視用カメラ２２０以外に、ビデオカメラ及びゲーム機等を外部音声／画像入力部２１９に接続してもよい。
【００７７】
制御部２００は、明るさ検知手段２２１（例えば、車両のライトスイッチや光センサ）や乗員検知手段２２２（例えば、運転席や助手席に設けられる感圧センサ）により検知された情報を元に、音声の定位位置等の設定を変更させることが可能である。
【００７８】
２２３は車両の後席用に設けられたリア表示部であり、画像出力部２１１を介して、表示部７に表示される画像と同じもの、もしくは運転席用の画像か助手席用の画像の一方が表示可能である。
【００７９】
制御部２００は、ＥＴＣ車載器２５０からの料金表示等を表示させることを行っている。また制御部２００は、携帯電話などと無線接続するための通信ユニット２２５を制御し、これに関する表示がされるようにしてもよい。
【００８０】
図１０は、本発明の説明のために表示装置の特徴部分のみを示したブロック図である。なお、以下では、車載用の表示装置に基づいて本発明について説明を行うが、本発明は車載用に限定されるものではなく、例えばホーム用の表示装置等にも適用することが可能である。図１０において、図６と同じ構成には同じ番号を付した。図１０では、図６の構成に加えて、音声調整回路２１０が車両１９８の各所に配置された第１スピーカ１６−１〜第４１６−４から音声を出力できるように構成されている事、制御部２００が車両１９８の各シートにヘッドレスト部に配置された第１検出センサ３２０〜第５検出センサ３３０からの音量を音声検出部２２４を介して検出することができるように構成されている事が追加されている。
【００８１】
図１１に、スピーカ及び検出センサの配置例を示す。図１１に示すように、車両１９内の第１スピーカ１６−１を運転席シート側ドアに、第２スピーカ１６−２を助手席シート側ドアに、第３スピーカ１６−３をリアシート１８の右側に、第４スピーカ１６−４をリアシート１８の左側に配置した。また、第１検出センサ３２０を運転席１３のヘッドレスト２３中に配置し、第２検出センサ３２２を助手席１２のヘッドレスト２４中に配置し、第３検出センサ３２４をリアシート１８のヘッドレスト２５中に配置し、第４検出センサ３２６をリアシート１８のヘッドレスト２６中に配置し、第５検出センサ３２８をリアシート１８のヘッドレスト２７中に配置した。なお、上記スピーカと検出センサの配置例は一例であって、車両の内形状やシートの配置等に応じて、他の様々な態様を取ることが可能である。
【００８２】
図１２に、表示部７の断面形状を示す概略図を示す。タッチパネル１２４は、可撓性のある透明絶縁基板対１３０及び１３８、透明絶縁基板上にそれぞれ形成された透明電極１３２及び１３６、及び透明電極１３２上にマトリックス状に配置したドットスペーサ１３４等から構成され、ユーザが透明電極基板１３０上を押圧することによってドットスペーサ１３４が透明電極１３６に接触すると、その接点の位置が電気抵抗の測定によって検知されて、制御部２００において、入力情報が読み取られるように構成されている。なお、タッチパネル１２４は、上記の構成に限定されるものではなく、他の方式のものを採用することも可能である。
【００８３】
液晶パネル１００は、縦方向に複数の帯状部に分割され、左側（助手席側）表示用画素１０９と右側（運転席側）表示用画素１１０が交互に形成されている。全ての左側（助手席側）表示用画素１０９は第１の画像調整回路２０８によって駆動制御され、全ての右側（運転席側）表示用画素１１０は第２の画像調整回路２０９によって駆動制御される。
【００８４】
液晶パネル１００の表面側には、ポリカーボネイト等から形成される視差バリア１０８´が配置される。視差バリア１０８´の表裏には、遮光帯１４２及び１４４が交互に形成されている。図１２の例では、遮光帯１４２及び１４４が交互に形成されている視差バリア１０８´を用いたが、図３に示すような、勿論、視差バリア１０８を用いることも可能である。
【００８５】
運転席１３を含む第１視野領域内の観察者１１は、視差バリア１０８´の作用によって、各右側（運転席側）表示用画素１１０の集合体としての画像のみを運転席用画像として視認することができる。一方、助手席１２を含む第２視野領域内の観察者１０は、視差バリア１０８´の作用によって、各左側（助手席側）表示用画素１０９の集合体としての画像のみを助手席用画像として視認することができる。このように実際は、１つの画面を縦方向に複数分割した１つ置きの画像を視認することとなるが、１つの帯状部の幅を非常に狭くすることによって、運転席側からも、助手席側からも別々の画像をそれぞれ視認することが可能となる。
【００８６】
図１３に表示画像例を、図１４に視野範囲及び音声出力範囲を示す。図１３（ａ）は、運転席１３を含む第１視野範囲（図１４の６０１参照）において視聴することができ、第１の画像調整回路２０８によって駆動制御される第２の表示画像（動画等の映像や、静止画を含む）の例であって、ナビゲーション用の表示画像例を示している。また、図１３（ｂ）は、助手席１２を含む第２視野範囲（図１４の６０２参照）において視聴することができ、第２の画像調整回路２０９によって制御される第１の表示画像の例であって、ＣＤ操作用画面の表示画像例を示している。図１４に示すように、運転席１３及びリアシート１８でヘッドレスト２５を利用する座席の観察者は第１視野範囲に存在するので、第２の表示画像を視聴することができ、助手席１２及びリアシート１８でヘッドレスト２７を利用する座席の観察者は第２視野範囲に存在するので、第１の表示画像を視聴することができる。しかしながら、リアシート１８でヘッドレスト２６を利用する座席の観察者は、クロストーク領域（図１４の６０３参照）に存在するので、いずれの表示画像をもある程度見ることできる状況におかれている。
【００８７】
また、図１４の例では、第２の表示画像に対応する第２音声（ナビゲーション用音声）は、第１スピーカ１６−１及び第３スピーカ１６−３から出力され、運転席１３及びリアシート１８でヘッドレスト２５を利用する座席の観察者に良好に提供できるような音声が出力されている。さらに、図１４の例では、第１の表示画像に対応する第１音声（音楽ＣＤ再生音声）は、第２スピーカ１６−２及び第４スピーカ１６−４から出力され、助手席１２及びリアシート１８でヘッドレスト２７を利用する座席の観察者に良好に視聴できるような音声が出力されている。また、クロストーク領域６０３に存在するリアシート１８でヘッドレスト２６を利用する座席の観察者には、第１音声及び第２音声が両方とも視聴できるように設定されている。
【００８８】
図１３及び図１４では、運転席側をナビゲーション用表示画像及び音声、助手席側をＣＤ再生用表示画像及び音声としたが、表示装置に接続されているあらゆるソース（ＣＤ／ＤＶＤ再生部２０１、ラジオ受信部２０２、ＴＶ受信部２０３、ナビゲーション部２０６）からの画像、表示画像及び／又は音声を、運転席側（第１視野領域）と助手席側（第２視野領域）とに振り分けることができる。
【００８９】
また、ＴＶ放送のあるチャンネルの表示画像等とＴＶ放送の他のチャンネルの表示画像等とを運転席側と助手席側とに振り分けることもできる。これは、複数のチューナを有するＴＶ受信部がソースとして存在する場合、ＨＤ再生部２０５を利用して、過去にＨＤ再生部２０５で録画したＴＶ表示画像等を用いることによって、達成することができる。
【００９０】
また、同じ記録媒体、例えば第１のＤＶＤに記録された表示画像等と第２のＤＶＤに記録された表示画像等とを運転席側と助手席側とに振り分けることもできる。これは、複数の記録媒体を同時に再生できるデッキがソースとして存在する場合、ＨＤ再生部２０５を利用して過去に再生したＤＶＤ表示画像をＨＤ再生部２０５で記録した場合等に達成することができる。
【００９１】
また、同じＤＶＤに記録された異なる表示画像（マルチアングルで表示画像が記録されている場合等）を、運転席側と助手席側とに振り分けることができる。これは、複数の光ピックアップ部を有するデッキがソースとして存在する場合、ＤＶＤを高速再生してバッファリングしながら２つの表示画像を同じＤＶＤから出力することができるデッキがソースとして存在する場合、ＨＤ再生部２０５を利用して過去に再生したＤＶＤ表示画像をＨＤ再生部２０５で記録した場合等に達成することができる。
【００９２】
図１５に、図１４に示す視野範囲及び音声出力範囲を変更した例を示す。図１５の例では、表示部７の第１視野範囲７０１を変更して、運転席１３、リアシート１８でヘッドレスト２５及び２６を利用する観察者に良好に第２の表示画像を提供できるように構成した。また、図１５の例では、表示部７の第２視野範囲７０２内で、助手席１２及びリアシート１８でヘッドレスト２７を利用する観察者に良好に第１の表示画像を提供できるように構成した。したがって、図１４におけるクロストーク領域６０３内に存在するリアシート１８でヘッドレスト２６を利用する座席の観察者も、良好に第２の表示画像を見ることが可能となった。なお、例えば、視差バリア１０８´をモータ等の駆動装置により移動する構成とし、視差バリア１０８´の移動に伴い遮光帯１３２及び１３４の位置を変更させて、表示方向（範囲）を変更することもできる。
【００９３】
さらに、図１５の例では、音声調整回路２１０は、第１スピーカ１６−１〜第４スピーカ１６−４の音声出力を、第１検出センサ３２０〜第５検出センサ３２８からの音声データに基づいて制御し、運転席１３、リアシート１８でヘッドレスト２５及び２６を利用する観察者が存在する第１領域７１０に第２の表示画像に対応する第１音声が定位するように制御を行った。また、同様に、音声調整回路２１０は、第１スピーカ１６−１〜第４スピーカ１６−４の音声出力を、第１検出センサ３２０〜第５検出センサ３２８からの音声データに基づいて制御し、助手席１２及びリアシート１８でヘッドレスト２７を利用する観察者が存在する第２領域７２０に第１の表示画像に対応する第２音声が定位するように制御を行った。したがって、図１４におけるクロストーク領域６０３内に存在するリアシート１８でヘッドレスト２６を利用する座席の観察者も、良好に第１音声を聞くことが可能となった。
【００９４】
音声の定位のための制御は、例えば、音声調整回路２１０が、リアシート１８でヘッドレスト２６を利用する観察者の頭部が存在する可能性が高い第４検出センサ３２６からの音声データを検出し、検出した音声データに基づいた打ち消し信号を生成して前記音声データ中の第２音声に対応するデータをノイズとしてキャンセルするように、あるいは、各スピーカからの音量や遅延時間を調基して、第１スピーカ１６−１〜第４スピーカ１６−４の音声出力の制御をすれば良い。
【００９５】
図１６に、図１４に示す視野範囲及び音声出力範囲を変更した他の例を示す。図１６の例では、表示部７の第２視野範囲８０２を変更して、助手席１２、リアシート１８でヘッドレスト２７及び２６を利用する観察者に良好に第１の表示画像を提供できるように構成した。また、図１６の例では、表示部７の第１視野範囲８０１内で、運転席１３及びリアシート１８でヘッドレスト２５を利用する観察者に良好に第２の表示画像を提供できるように構成した。したがって、図１４におけるクロストーク領域６０３内に存在するリアシート１８でヘッドレスト２６を利用する座席の観察者も、良好に第１の表示画像を見ることが可能となった。
【００９６】
さらに、図１６の例では、音声調整回路２１０は、第１スピーカ１６−１〜第４スピーカ１６−４の音声出力を、第１検出センサ３２０〜第５検出センサ３２８からの音声データに基づいて制御し、運転席１３及びリアシート１８でヘッドレスト２５を利用する観察者が存在する第１領域８１０に第２の表示画像に対応する第１音声が定位するように制御を行った。また、同様に、音声調整回路２１０は、第１スピーカ１６−１〜第４スピーカ１６−４の音声出力を、第１検出センサ３２０〜第５検出センサ３２８からの音声データに基づいて制御し、助手席１２、リアシート１８でヘッドレスト２６及び９を利用する観察者が存在する第２領域８２０に第１の表示画像に対応する第２音声が定位するように制御を行った。したがって、図１４におけるクロストーク領域６０３内に存在するリアシート１８でヘッドレスト２６を利用する座席の観察者も、良好に第２音声を聞くことが可能となった。
【００９７】
音声の定位のための制御は、例えば、音声調整回路２１０が、リアシート１８でヘッドレスト２６を利用する観察者の頭部が存在する可能性が高い第４検出センサ３２６からの音声データを検出し、検出した音声データに基き打ち消し信号を生成して前記音声データ中の第１音声に対応するデータをノイズとしてキャンセルするように、あるいは、各スピーカからの音量や遅延時間を調基して、第１スピーカ１６−１〜第４スピーカ１６−４の音声出力の制御をすれば良い。
【００９８】
図１４〜図１６を用いて、車両１９内に、表示画像及び音声を提供する３つの場合について説明した。そこで、操作部１５に所定の選択スイッチを設け、ユーザが選択できるように構成し、ユーザの選択に応じて、図１４〜図１６の何れかの状況となるように表示画像及び音声の出力を変更するように構成することができる。
【００９９】
また、前述した図１４〜図１６においては、表示画像と音声とを合わせて制御するように構成したが、操作部１５に所定の選択スイッチを設け、表示画像のみ、又は音声のみを、図１４〜図１６に示す３つの何れかの状況となるように構成することも可能である。
【０１００】
さらに、操作部１５に表示部７の視野範囲を、例えば、図１４〜図１６の何れかの状態に設定するための選択スイッチを設け、ユーザが選択した視野範囲に対応する視野情報に応じて、音声を提供する範囲を図１４〜図１６の何れかになるように音声調整回路２１０が制御を行うように構成することもできる。即ち、図１４に示す視野範囲をユーザが選択した場合には、図１４に示すような音声出力になるように音声調整回路２１０が第１スピーカ１６−１〜第４スピーカ１６−４を制御することとなる。
【０１０１】
即ち、表示部７の視野調整及び音声調整回路２１０による制御によって、クロストーク領域に、ユーザが選択する表示画像及び又は音声を供給することが可能となった。
【０１０２】
前述した図１４〜図１６の例では、クロストーク領域に、ユーザが選択する音声を定位させるために、前述したノイズキャンセル方式を利用したが、以下の示す骨伝導方式のスピーカ又は指向性スピーカを用いて、同様の制御を行うことができる。
【０１０３】
図１７に、骨伝導スピーカの配置例を示す。図１７の例では、リアシート１８のヘッドレスト２６を利用する観察者９００の首よりも上方部分と接触できる位置に、骨伝導スピーカ９０１を埋設した。シートクッションとは異なりヘッドレスト２６は観察者９００の身体との密着安定性は低いが、声帯に最も近い頭蓋骨又は頚椎は、骨伝導音を検出することができるので、特に観察者９００が意識的に頭部をヘッドレスト２６に押し付けるようにすれば、鮮明な信号を取り出すことが可能である。なお、骨伝導スピーカ９０１の位置や個数は特に限定されるものではなく、様々な組み合わせを採用することができる。
【０１０４】
そこで、クロストーク領域６０３に存在するリアシート１８のヘッドレスト２６を利用する観察者に対してはヘッドレスト２６内に埋設した骨伝導スピーカ９０１から、運転席１３の観察者に対しては第１スピーカ１６−１から、助手席１２の観察者に対しては第２スピーカ１６−２から、リアシート１８のヘッドレスト２５を利用する観察者に対しては第３スピーカ１６−３から、及びリアシート１８のヘッドレスト２７を利用する観察者に対しては第４スピーカ１６−４から、それぞれ音声を出力するように構成して、第１音声と第２音声とで各スピーカを使い分ければ、指定された座席の観察者に指定された音声を供給することが可能となる。
【０１０５】
図１８に、指向性スピーカの構成例を示す。図１８において、音声調整回路２１０によってその動作が制御されるモータの回転軸１００１に歯車１００２が固定されている。歯車１００２は指向性スピーカ１０００に固定されたギア１００４に係合しており、ギア１００４は軸１００３を中心として回転可能に軸１００３に支持されている。従って、音声調整回路２１０（モータに対する制御量を記憶し、再生状態に応じて制御量を選択）によるモータの制御により、指向性スピーカ１０００の方向を調整でき、スピーカの再生音の指向性（方向）を制御することが可能となる。尚、図１８に示した構成と同様の構成により、手動操作によってスピーカの指向性を調整する構成とすることも可能である。
【０１０６】
図１９に、図１８に示した指向性スピーカによる音声出力変更の例を示す。図１９は、図１４における第３スピーカ１６−３の代わりに図１８に示すような第１指向性スピーカ１１００を配置し、第４スピーカ１６−４の代わりに図１８に示すような第２指向性スピーカ１１０１を配置した例である。図１９（ａ）では、音声調整回路２１０からの指示によるモータ制御によって、第１指向性スピーカ１１００をリアシート１８のヘッドレスト２５のみをカバーする位置に回転させ、第２指向性スピーカ１１０１をリアシート１８のヘッドレスト２６及び２７をカバーする位置に回転させた。また、図１９（ｂ）では、音声調整回路２１０からの指示によるモータ制御によって、第１指向性スピーカ１１００をリアシート１８のヘッドレスト２５及び２６をカバーする位置に回転させ、第２指向性スピーカ１１０１をリアシート１８のヘッドレスト２７のみをカバーする位置に回転させた。このように指向性スピーカを利用しても、クロストーク領域に、ユーザが選択する音声を定位させることが可能となる。
【０１０７】
上述した実施形態では、クロストーク領域に、ユーザが選択する音声を定位させるために、骨伝導スピーカや指向性スピーカを利用した。しかしながら、それらの代わりに、ヘッドホンやイヤホンを利用することもできる。その場合には、クロストーク領域内に存在する観察者用にヘッドホンやイヤホン用のジャックやコネクタを設ければ良い。
【０１０８】
さらに、クロストーク領域だけではなく、より安全で確実に特定の音声を提供するために、前述したスピーカや検出センサと合わせて、他の席に存在する観察者用にヘッドホンやイヤホン用のジャックやコネクタを設けることもできる。例えば、助手席用にはヘッドホンやイヤホンから第２音声を出力し、第１音声は全スピーカから出力するように設定することもできる。
【０１０９】
上述した実施形態では、ユーザの選択等によって、各座席に選択された表示画像や音声を供給又は定位させることについて説明した。しかしながら、緊急の場合には、上記設定を解除又は変更するように音声制御を行うことが好ましい。例えば、図１３及び６に示すように運転席側（第１視野範囲）をナビゲーション用表示画像及び音声、助手席側（第２視野範囲）をＣＤ再生用表示画像及び音声に設定した時に、ナビゲーション部２０６からＶＩＣＳ情報を受信した場合、地震や災害等の緊急情報を受信した場合には、全てのスピーカ３１０〜３１６から、緊急情報を出力するように、音声調整回路２１０が第１スピーカ１６−１〜第４スピーカ１６−４を制御する。この場合、音声調整回路２１０は、ナビゲーション部２０６から供給される音声信号から音声内容を判断し、判断結果に基づいて、前記緊急情報が全てのスピーカから出力されるように制御することができる。また、ナビゲーション部２０６が予め定めた緊急情報を受信した場合に、特定の信号を制御部２００及び音声調整回路２１０に送信し、制御部２００及び音声調整回路２１０は前記の特定信号を受信した場合には全ての音声及び表示画像をナビゲーション部２０６からの音声及び表示画像とするように制御しても良い。
【図面の簡単な説明】
【０１１０】
【図１】本発明に係る表示装置の概念図である。
【図２】表示装置の搭載例を示す斜視図である。
【図３】表示部の断面構造の概略図である。
【図４】表示パネルを正面から見た構造の概略図である。
【図５】ＴＦＴ基板の概略を示す回路図である。
【図６】本発明に係る表示装置の概略を示すブロック図である。
【図７】画像出力部２１１の概略を示すブロック図である。
【図８】制御部２００の概略を示すブロック図である。
【図９】メモリ２１８の概略を示すブロック図である。
【図１０】本発明に係る表示装置の概要構成を示すブロック図である。
【図１１】スピーカ及びセンサの配置例を示す図である。
【図１２】表示部の断面形状の概略を示す図である。
【図１３】表示画像の出力例を示す図である。
【図１４】視野範囲及び音声出力範囲を示す図である。
【図１５】視野範囲及び音声出力範囲を変更した例を示す図である。
【図１６】視野範囲及び音声出力範囲を変更した他の例を示す図である。
【図１７】骨伝導スピーカの設置例を示す図である。
【図１８】指向性スピーカの構成例を示す図である。
【図１９】指向性スピーカによる音声出力の変更例を示す図である。
【符号の説明】
【０１１１】
１    第１の画像ソース
２    第２の画像ソース
３    第１の画像データ
４    第２の画像データ
５    表示制御部
６    表示データ
７    表示部
８    第１の表示画像
９    第２の表示画像
１０、１１    観察者
１２    助手席
１３    運転席
１４    ウインドシールド
１５    操作部
１６    スピーカ
１８    リアシート
１９    車両
１００    液晶パネル
１０１    バックライト
１０２、１０３    偏光板
１０４    ＴＦＴ基板、
１０５    液晶層
１０６    カラーフィルタ基板
１０７    ガラス基板
１０８    視差バリア
１０９    左側（助手席側）表示用の画素
１１０    右側（運転席側）表示用の画素
１１１    表示パネル駆動部
１１２    走査線駆動回路
１１３    データ線駆動回路
１１４    ＴＦＴ素子
１１５〜１１８    データ線、
１１９〜１２１    走査線
１２２    画素電極
１２３    サブピクセル
１２４    タッチパネル、
２００    制御部
２０１    ＣＤ／ＭＤ再生部
２０２    ラジオ受信部
２０３    ＴＶ受信部、
２０４    ＤＶＤ再生部
２０５    ＨＤ再生部
２０６    ナビゲーション部
２０７    分配回路、
２０８    第１の画像調整回路
２０９    第２の画像調整回路
２１０    音声調整回路
２１１    画像出力部
２１２    ＶＩＣＳ情報受信部
２１３    ＧＰＳ情報受信部
２１４    セレクタ
２１５    操作部
２１６    リモコン送受信部
２１７    リモコン
２１８    メモリ
２１９    外部音声／映像入力部
２２０    カメラ
２２１    明るさ検知手段
２２２    乗員検知手段
２２３    リア表示部
２２４    ＥＴＣ車載器
２２５    通信ユニット
２２６    第１の書込回路、
２２７    第２の書込回路
２２８    ＶＲＡＭ
２２９    インターフェース
２３０    ＣＰＵ
２３１    記憶部
２３２    データ記憶部
２３３    第１の画面ＲＡＭ
２３４    第２の画面ＲＡＭ２３４
２３５    画質設定情報記憶手段
２３６    対環境調整値保持手段
３０２    音声検出部
３２０、３２２、３２４、３２６、３２８    検出センサ
【図１】
2006197551.tif 000003
【図２】
2006197551.tif 000004
【図３】
2006197551.tif 000005
【図４】
2006197551.tif 000006
【図５】
2006197551.tif 000007
【図６】
2006197551.tif 000008
【図７】
2006197551.tif 000009
【図８】
2006197551.tif 000010
【図９】
2006197551.tif 000011
【図１０】
2006197551.tif 000012
【図１１】
2006197551.tif 000013
【図１２】
2006197551.tif 000014
【図１３】
2006197551.tif 000015
【図１４】
2006197551.tif 000016
【図１５】
2006197551.tif 000017
【図１６】
2006197551.tif 000018
【図１７】
2006197551.tif 000019
【図１８】
2006197551.tif 000020
【図１９】
2006197551.tif 000021